(57)【要約】【課題】オペレータによる値引処理を必要とせずサービス付与処理を行う。【解決手段】実施形態のコード読取装置は、撮影部と、取込手段と、第１読取手段と、第２読取手段と、出力手段と、を備える。前記第１読取手段は、取り込まれた画像から、購入対象の商品を示す商品情報を表すコードシンボルを検出して、検出した前記コードシンボルから、前記コードシンボルが表す商品情報を読み取る。前記第２読取手段は、前記取り込まれた画像から、前記商品の購入に対して付与するサービスを示すサービス情報を表すサービス表示の一部分が検出された場合に、当該サービス表示の一部分を検出した後所定時間、前記取込手段により新たに取り込まれた画像からの前記サービス表示の検出を継続する。前記出力手段は、読み取った前記商品情報および前記サービス情報を出力する。【選択図】図１
2012014528.tif 000002
【特許請求の範囲】
【請求項１】
画像を撮影する撮影部と、
撮像した画像を取り込む取込手段と、
前記取り込まれた画像から、購入対象の商品を示す商品情報を表すコードシンボルを検出して、検出した前記コードシンボルから、前記コードシンボルが表す商品情報を読み取る第１読取手段と、
前記取り込まれた画像から、前記商品の購入に対して付与するサービスを示すサービス情報を表すサービス表示の一部分が検出された場合に、当該サービス表示の一部分を検出した後所定時間、前記取込手段により新たに取り込まれた画像からの前記サービス表示の検出を継続する第２読取手段と、
読み取った前記商品情報および前記サービス情報を出力する出力手段と、
を備えたことを特徴とするコード読取装置。
【請求項２】
前記サービス表示の一部分を検出した場合に、前記サービス情報の読み取り漏れを報知する報知手段をさらに備えたことを特徴とする請求項１に記載のコード読取装置。
【請求項３】
前記報知手段は、前記サービス情報が読み取れない旨のメッセージを表示部に表示して、前記サービス情報の読み取り漏れを報知することを特徴とする請求項２に記載のコード読取装置。
【請求項４】
コンピュータを、
撮像した画像を取り込む取込手段と、
前記取り込まれた画像から、購入対象の商品を示す商品情報を表すコードシンボルを検出して、検出した前記コードシンボルから、前記コードシンボルが表す商品情報を読み取る第１読取手段と、
前記取り込まれた画像から、前記商品の購入に対して付与するサービスを示すサービス情報を表すサービス表示の一部分が検出された場合に、当該サービス表示の一部分を検出した後所定時間、前記取込手段により新たに取り込まれた画像からの前記サービス表示の検出を継続する第２読取手段と、
読み取った前記商品情報および前記サービス情報を出力する出力手段と、
として機能させるためのプログラム。
【請求項５】
前記コンピュータを、さらに、
前記サービス表示の一部分を検出した場合に、前記サービス情報の読み取り漏れを報知する報知手段として機能させるための請求項４に記載のプログラム。
【請求項６】
前記報知手段は、前記サービス情報が読み取れない旨のメッセージを表示部に表示して、前記サービス情報の読み取り漏れを報知することを特徴とする請求項５に記載のプログラム。
【発明の詳細な説明】
【技術分野】
【０００１】
本発明の実施形態は、コード読取装置およびプログラムに関する。
【背景技術】
【０００２】
従来、スーパーマーケット等の小売店では、生鮮品の廃棄ロスを削減するために、閉店時間が近づくと商品を値引して販売することがしばしば行われている。この場合、店側は、値引額や割引率などを表示した値引／割引ラベルを商品に貼付して、顧客に値引／割引された商品であることを明示している。
【０００３】
また、ＰＯＳ（Point  Of  Sales）端末のオペレータは、顧客が買い上げる商品に値引／割引ラベルが貼付されている場合には、スキャナで当該商品のバーコードを読み取るとともに、キーボードやタッチパネル等から値引や割引に関する処理を行う。このため、オペレータが値引／割引ラベルに気付かずに値引／割引された商品を通常価格で販売してしまうおそれがあった。
【０００４】
これに対して、特許文献１では、カメラでバーコードおよび値引／割引ラベルを同時に撮影し、撮影した画像から読み取った商品コードおよび値引／割引情報をＰＯＳ端末に出力することで、ＰＯＳ端末における値引／割引処理を自動的に行う技術が開示されている。
【発明の概要】
【発明が解決しようとする課題】
【０００５】
ところで、商品の表面は、平坦なものから凹凸があるものまで様々である。そのため、従来技術においては、値引／割引ラベルが商品の凹凸がある箇所に貼付されていたり、値引／割引ラベルが商品の角部に貼付されたりしていると、値引／割引ラベルを撮影する角度によって、値引／割引ラベル全体が含まれる画像を撮影することができず、値引／割引商品が通常価格で販売されてしまう、という課題がある。
【課題を解決するための手段】
【０００６】
実施形態のコード読取装置は、撮影部と、取込手段と、第１読取手段と、第２読取手段と、出力手段と、を備える。前記撮影部は、画像を撮影する。前記取込手段は、撮像した画像を取り込む。前記第１読取手段は、前記取り込まれた画像から、購入対象の商品を示す商品情報を表すコードシンボルを検出して、検出した前記コードシンボルから、前記コードシンボルが表す商品情報を読み取る。前記第２読取手段は、前記取り込まれた画像から、前記商品の購入に対して付与するサービスを示すサービス情報を表すサービス表示の一部分が検出された場合に、当該サービス表示の一部分を検出した後所定時間、前記取込手段により新たに取り込まれた画像からの前記サービス表示の検出を継続する。前記出力手段は、読み取った前記商品情報および前記サービス情報を出力する。
【図面の簡単な説明】
【０００７】
【図１】図１は、本実施形態にかかるチェックアウトレーンシステムの構成を概略的に示す斜視図である。
【図２】図２は、コード読取装置の構成を示すブロック図である。
【図３】図３は、商品とカメラの撮像エリアとの関係の一例を示す図である。
【図４】図４は、サービス表示ラベルのその他の例を示す図である。
【図５】図５は、サービス表示ラベルのその他の例を示す図である。
【図６】図６は、ラベル特徴テーブルを説明する図である。
【図７】図７は、カメラが撮像した撮像エリア内の画像データを示す図である。
【図８】図８は、商品とカメラの撮像エリアとの関係の一例を示す図である。
【図９】図９は、カメラが撮影した画像エリア内の画像データを示す図である。
【図１０】図１０は、バーコードデータを説明する図である。
【図１１】図１１は、サービスコードを説明する図である。
【図１２】図１２は、複合コードを説明する図である。
【図１３】図１３は、コード読取装置が行う情報出力処理の手順を示したフローチャートである。
【発明を実施するための形態】
【０００８】
図１は、本実施形態にかかるチェックアウトレーンシステムの構成を概略的に示す斜視図である。図１に示すように、チェックアウトレーンシステム４は、商品を入れた買い物かごを戴置するためのサッカー台１と、サッカー台１の略中央に立設されたコード読取装置２と、コード読取装置２と図示しない伝送路によって相互通信可能に接続されたＰＯＳ端末３とを備えている。
【０００９】
ＰＯＳ端末３は、客が購入する商品の販売登録を行うものである。図１に示すように、ＰＯＳ端末３には、キーボード３１、オペレータ用の表示器３２、客用の表示器３３、レシート印字等を行うプリンタ３４、現金等を収容するためのドロワ３５等が設けられている。キーボード３１には、商品代金の決済に必要な締めキー等が配設されている。ＰＯＳ端末３は、この種のチェックアウトレーンシステムで標準的に使用されているＰＯＳ端末と同様の構成と機能とを備えている。
【００１０】
コード読取装置２は、商品に貼付され、当該商品を示す商品コードなどの商品情報を表すバーコードまたは二次元コード等のコードシンボルを読み取って、コードシンボルが表す商品情報をＰＯＳ端末３に出力するための装置である。図１に示すように、コード読取装置２は、読取窓２１と、キーボード２２と、ディスプレイ２３と、表示ＬＥＤ２４と、ブザー２５とを主に備えている。キーボード２２は、コードシンボルで登録不能な商品の登録を行う場合に、各種キーによる入力を受付ける。ディスプレイ２３は、登録された商品の品名や価格等を買い物客に対して表示する。表示ＬＥＤ２４は、商品に貼付されたコードシンボルが読み取られた場合に点灯して、コードシンボルが読み取られていることをオペレータに報知する。ブザー２５は、商品に貼付されたコードシンボルが読み取られた場合にブザー音を鳴らして、オペレータに報知する。読取窓２１が設けられたコード読取装置２の内部には、ＣＣＤ（Charge  Coupled  Device）カメラ（以下、カメラとする）２０（図２参照）が内蔵されている。
【００１１】
図２は、コード読取装置の構成を示すブロック図である。コード読取装置２は、ＣＰＵ（Central  Processing  Unit）５０と、ＲＯＭ（Read  Only  Memory）４２と、ＲＡＭ（Random  Access  Memory）４３と、通信Ｉ／Ｆ４４と、出力ポート４６と、キーボードコントローラ４７と、表示コントローラ４８と、カメラコントローラ４９と、メモリ４５とを主に備えており、これらをアドレスバス、データバスなどのバスライン４１で接続している。
【００１２】
ＣＰＵ５０は、コード読取装置２の動作全体を制御する制御部として機能する。ＲＯＭ４２は、本実施形態にかかるプログラムや、ＣＰＵ５０の動作を制御するその他のプログラム等を記憶している。ＲＡＭ４３は、ＣＰＵ５０がＲＯＭ４２が記憶する各種プログラムを展開する際にワークエリアとして機能するものである。また、ＲＡＭ４３は、カメラ２０によって撮像した画像データなどの各種データを格納する。
【００１３】
通信Ｉ／Ｆ４４は、バスを介して接続されたＰＯＳ端末３（図１参照）とのデータ通信を制御する。出力ポート４６は、ブザー２５と表示ＬＥＤ２４に駆動信号を出力する。キーボードコントローラ４７は、キーボード２２からキー信号を取り込む。表示コントローラ４８は、ディスプレイ２３に対するデータ表示を制御する。カメラコントローラ４９は、カメラ２０の撮像動作を制御する。
【００１４】
カメラ２０は、バーコードや二次元コード等のコードシンボルや、商品の購入に対して付与する値引や割引やポイント付加等のサービスを示すサービス情報を表す値引ラベルなどのサービス表示を撮像する撮影部である。
【００１５】
次に、本実施形態のコード読取装置２により処理される商品とカメラ２０の撮像エリアとの関係について説明する。図３は、商品とカメラの撮像エリアとの関係の一例を示す図である。図中鎖線で囲った領域は、カメラ２０が１フレームで撮像できる領域である撮像エリア３０４である。図３に示す商品３００には、バーコードラベル３０１に加えて、サービス表示ラベルの一例であり、楕円形状の値引ラベル３０３が貼付されている。
【００１６】
バーコードラベル３０１には、バーコード３０２等が表示されている。バーコード３０２には、商品３００の販売データをＰＯＳ端末３で登録処理するのに必要な商品情報として、商品コード等の情報が組み込まれている。また、バーコード３０２の下部には、バーコード３０２が組み込んでいる商品コード「２０１２３４５６７８９０」が数字で表示されている。値引ラベル３０３には、商品３００の商品価格からの値引額を示す文字情報「半額」が表示されている。
【００１７】
尚、サービス表示ラベルとしては、商品３００に付され、商品３００の購入に対して付与されるサービスの内容を表示しているものであればよい。図４および図５は、サービス表示ラベルのその他の例を示す図である。サービス表示ラベルのその他の例としては、図４に示すように、商品３００の割引率を表示した矩形の割引ラベル４０１や、図５に示すように、商品３００を購入した客に対して、通常のポイント付与数より割増されて付与されるポイント数を表示した三角形のポイント割増ラベル５０１等がある。
【００１８】
不揮発性のメモリ４５は、サービス表示ラベルの特徴と、サービス表示ラベルが表すサービス情報とを対応付けたラベル特徴テーブルＴを格納している。
【００１９】
図６は、ラベル特徴テーブルを説明する図である。図６に示すように、ラベル特徴テーブルＴは、サービス表示ラベルが含む文字や絵やシンボル等の特徴を示したラベル特徴データと、当該サービス表示ラベルによって商品に付与されるサービス情報とを対応付けて記憶している。
【００２０】
より詳細には、ラベル特徴データは、サービス表示ラベルからＯＣＲ等の文字認識処理によって抽出される情報のことである。即ち、図３に示すように、閉じた楕円の中に「半額」と記載された値引ラベル３０３については、図６のラベル特徴テーブルＴにおいてＮｏ.１のラベル特徴データに示すように、楕円かつ閉曲線の特徴量および「半額」という情報が文字認識処理によって抽出される。同様に、図４、５に示す割引ラベル４０１やポイント割増ラベル５０１に対しても、図６のＮｏ．２、Ｎｏ．３のラベル特徴データに示すように、矩形かつ閉直線の特徴量および「１０、％、引」、三角形かつ閉直線の特徴量および「１０、ポイント」という割引やポイント付与に関する情報が抽出される。
【００２１】
サービス情報とは、商品の購入に対して付与されるサービスの内容を示す値引情報やポイント付与情報などのサービスの内容を示す情報を、ＰＯＳ端末３の販売登録処理において使用できるよう英数値で示した情報のことである。即ち、図６に示すように、ラベル特徴データ：楕円かつ閉曲線の特徴量および「半額」に対しては、５０円の値引を意味するサービス情報：「−５０ＹＥＮ」が対応付けて記憶されている。また、ラベル特徴データ：矩形かつ閉直線の特徴量および「１０、％、引」に対しては、１０％の割引を意味するサービス情報「−１０％」が対応付けて記憶されている。さらに、ラベル特徴データ：三角形かつ閉直線の特徴量および「１０、ポイント」に対しては、１０ポイントのポイント割増を意味するサービス情報：「＋１０Ｐ」が対応付けて記憶されている。
【００２２】
次に、本実施の形態のコード読取装置２が有する特徴的な機能について説明する。ＣＰＵ５０は、ＲＡＭ４３に展開されたＲＯＭ４２が記憶するプログラムに従って動作することで、図２に示すように、取込部５１と、第１読取部５５と、第２読取部５２と、出力部５３と、報知部５４として機能する。
【００２３】
取込部５１は、カメラコントローラ４９に撮像オン信号を出力してカメラ２０に撮像動作を開始させる。取込部５１は、カメラ２０が撮像した撮像エリア３０４内の画像データを取り込んで、ＲＡＭ４３の画像ワークエリアに格納する。
【００２４】
ここで、取込部５１が取り込む画像データ７００について図３、図７〜９を用いて説明する。図７は、カメラが撮像した撮像エリア内の画像データを示す図である。図８は、商品とカメラの撮像エリアとの関係の一例を示す図である。図９は、カメラが撮影した画像エリア内の画像データを示す図である。
【００２５】
図３に示すように、商品３００においてバーコード３０２と値引ラベル３０３とが近接しかつ値引ラベル３０３が商品３００の平坦な部分（例えば、商品３００の中央部など）に貼付されている場合には、図７に示すように、バーコード３０２全体の画像７０１および値引ラベル３０３全体の画像７０２が画像データ７００に納まっている。取込部５１は、撮像エリア３０４に対応する画像データ７００をＲＡＭ４３の画像ワークエリアに格納する。
【００２６】
一方、図８に示すように、商品３００においてバーコード３０２と値引ラベル３０３とが離れかつ値引ラベル３０３が商品３００の凹凸がある部分（例えば、商品３００の角部など）に貼付されている場合には、オペレータが商品３００を読取窓２１にかざす位置によっては、値引ラベル３０３全体の画像７０２が画像データ７００に納まらない（図９参照）。この場合には、オペレータが読取窓２１にかざす商品３００の位置を変えて、値引ラベル３０３全体の画像７０２が撮像エリア７００に納まるまで、商品３００を複数回撮影することとなる。取込部５１は、カメラ２０により複数回撮像された画像データ７００をそれぞれ取り込み、ＲＡＭ４３の画像ワークエリアに格納する。
【００２７】
第１読取部５５は、取込部５１がＲＡＭ４３の画像ワークエリアに格納した画像データ７００から、バーコード３０２の画像７０１を検出し、検出したバーコード３０２の画像７０１からバーコード３０２が表す商品情報を読み取るバーコード読取処理を行う。
【００２８】
より詳細には、第１読取部５５は、ＲＡＭ４３の画像ワークエリアに格納された１フレームの画像データ７００を２値化し、２値化したデータ内にバーコード３０２に関するデータ領域が存在するか否かを検出する。第１読取部５５は、取り込んだ画像データ７００においてバーコード３０２に関するデータ領域を検出した場合には、バーコード３０２をデコードして、図１０に示すＪ１〜Ｊ１３のバーコードデータ（ＪＡＮコード）Ｃ１を、商品３００の商品情報として読み取る。バーコードデータＣ１は、メーカーコードや、商品情報としての商品コードや、チェックデジット等を含んでいる。第１読取部５５は、読み取ったバーコードデータＣ１をＲＡＭ４３のバーコードワークエリアに格納する。
【００２９】
第２読取部５２は、取込部５１がＲＡＭ４３の画像ワークエリアに格納した画像データ７００に対して、値引ラベル３０３の画像７０２を検出し、検出した値引ラベル３０３の画像７０２から値引ラベル３０３が表すサービス情報を読み取るラベル読取処理を行う。さらに、第２読取部５２は、値引ラベル３０３の画像７０２の一部分が検出された場合に、当該値引ラベル３０３の画像７０２の一部分が検出された後所定時間、取込部５１により新たに取り込まれた画像データ７００からの値引ラベル３０３の画像７０２の検出を継続する。そして、第２読取部５２は、所定時間内に値引ラベル３０３の画像７０２を検出した場合には、検出した値引ラベル３０３の画像７０２からサービス情報を読み取る。
【００３０】
より具体的には、第２読取部５２は、ＲＡＭ４３の画像ワークエリアに格納された１フレームの画像データ７００に対して、ＯＣＲ等の文字認識処理を行う。そして、第２読取部５２は、値引ラベル３０３の画像７０２が含む文字や絵やシンボル等の特徴と、ラベル特徴テーブルＴのラベル特徴データ（図６参照）とを照合して、一致度の高いラベル特徴データ（例えば、一致度が９０％以上のラベル特徴データ）を検出した場合に、画像データ７００から値引ラベル３０３の画像７０２を検出したと判断する。
【００３１】
また、第２読取部５２は、値引ラベル３０３の画像７０２の特徴と、ラベル特徴テーブルＴのラベル特徴データとを照合して、一致度が所定の値に達したラベル特徴データ（例えば、一致度が７０〜８０％のラベル特徴データ画像）を検出した場合に、画像データ７００から値引ラベル３０３の一部分の画像を検出したと判断する。例えば、第２読取部５２は、値引ラベル３０３の画像７０２の特徴（閉じていない楕円の中に文字および数字）（図９参照）と、ラベル特徴テーブルＴのラベル特徴データ（閉じた曲線からなる楕円の中に文字および数字）とを照合して、一致度が７０％である場合に、値引ラベル３０３の一部分の画像を検出したと判断する。そして、第２読取部５２は、値引ラベル３０３の一部分の画像を検出された後所定時間、取込部５１により新たに取り込まれた画像データ７００からの値引ラベル３０３の画像７０２の検出を継続する。
【００３２】
また、第２読取部５２は、検出したラベル特徴データに該当するサービス情報をラベル特徴テーブルＴから読み取る。次いで、第２読取部５２は、読み取ったサービス情報をコード化してサービスコードＣ２（図１１参照）を生成し、ＲＡＭ４３のサービスコードワークエリアに格納する。
【００３３】
図１１は、サービスコードを説明する図である。図１１に示すように、サービスコードＣ２は、サービスの種類を設定するフラグＦと、値引額や値引率や付与ポイント数など提供されるサービスの値を示すデータＰ１〜Ｐ５を含んでいる。フラグＦは、例えば、１：値引率、２：値引金額、３：ポイントとしてサービスの種類を表すことができる。
【００３４】
さらに、第２読取部５２は、値引ラベル３０３の一部分の画像が検出された後所定時間を計測するタイマー５６の動作を制御する。第２読取部５２は、値引ラベル３０３の一部分の画像を検出した場合であって、タイマー５６がタイムアウトしていない場合には、取込部５１に対して画像取り込みを行うよう指示して、カメラ２０が撮像した撮像エリア３０４内の画像データ７００を新たに取り込む処理を行わせる。
【００３５】
このようにすることで、オペレータは、値引ラベル３０３の一部分の画像が検出された場合に、タイマー５６がタイムアウトしていない所定時間の間だけ、商品３００をカメラ２０によって複数回撮像することができる。従って、図９のように、値引ラベル３０３が商品３００の角部に貼付されて撮像エリア３０４の画像データ７００に含まれていない場合であっても、オペレータは、値引ラベル３０３を含む撮像エリア３０４によって撮像しなおすことが可能となり、バーコードデータＣ１およびサービスコードＣ２を取得することができる。
【００３６】
出力部５３は、第２読取部５２が生成したサービスコードＣ２がＲＡＭ４３に格納されている場合には、第１読取部５５によりＲＡＭ４３に格納されているバーコードデータＣ１にサービスコードＣ２を結合して複合コードＣ３を生成し、これをＰＯＳ端末３に出力する。
【００３７】
図１２は、複合コードを説明する図である。図１２に示すように、複合コードＣ３は、スタートコードで始まり、バーコードデータＣ１と、サービスコードＣ２と、サービスコードＣ２のチェックデジットＣＤと、複合コードＣ３のチェックデジットＣＯＤＥ１２８ＣＤとを含んでおり、ストップコードで終わるコードとなっている。ＰＯＳ端末３は、コード読取装置２から受け取った複合コードＣ３に基づいて、商品３００にサービスコードＣ２が示すサービスを付与した販売登録を行う。
【００３８】
一例として、図３に示すように、商品３００に５０円引きの値引ラベル３０３が貼付されていた場合には、読取部５２が読み取ったサービス情報「−５０ＹＥＮ」をデジタル化したサービスコードＣ２が生成される。従って、複合コードＣ３は、商品コード「２１０１２３４５６７８９０」に対応するバーコードデータＣ１と、「−５０ＹＥＮ」に対応するサービスコードＣ２を含むこととなる。ＰＯＳ端末３は、ＰＯＳ端末３または店舗内のホスト端末（不図示）が保持する商品マスタ等を参照して、バーコードデータＣ１に対応する商品３００の価格を読み込む。さらにＰＯＳ端末３は、サービスコードＣ２に基づいて、読み込んだ価格から５０円値引をして、商品の販売登録を行う。
【００３９】
報知部５４は、第１読取部５５がバーコード３０２を読み取った場合に、バーコード３０２の画像７０１が検出された状態にあることをオペレータに報知するため、バーコードオン信号を出力して表示ＬＥＤ２４を発光させる。また、報知部５４は、出力部５３がＰＯＳ端末３に対して複合コードＣ３、或いはバーコードデータＣ１を出力した場合に、バーコードオフ信号を出力して表示ＬＥＤ２４を消灯する。
【００４０】
さらに、報知部５４は、第２読取部５２が値引ラベル３０３の一部分の画像を読み取った場合に、サービス情報の読み取り漏れを報知するために、値引ラベル３０３の一部分の画像が検出されてから所定時間内であって当該値引ラベル３０３の画像７０２が検出されるまで、バーコードオン信号を周期的に出力して表示ＬＥＤ２４を点滅点灯させる。なお、本実施形態では、報知部５４は、表示ＬＥＤ２４を点滅点灯させてサービス情報の読み取り漏れを報知しているが、これに限定するものではない。例えば、報知部５４は、サービス情報が読み取れない旨のメッセージをオペレータ側の表示部（図示しない）に表示して、サービス情報の読み取り漏れを報知しても良い。これにより、オペレータは、値引ラベル３０３全体の画像７０２をカメラ２０により撮像することができていないことを把握することができるので、値引ラベル３０３を撮像する角度を変えて再度値引ラベル３０３の撮像をやり直すことができる。
【００４１】
さらに、報知部５４は、出力部５３がＰＯＳ端末３にバーコードデータＣ１を出力した場合には、ブザー２５を駆動して、バーコードラベル３０１のみが読み取られ、値引ラベル３０３は読み取られなかったことを示す第１のブザー音（例えば“ピッ”）を鳴らす。
【００４２】
また、報知部５４は、出力部５３がＰＯＳ端末３に複合データＣ３を出力した場合には、ブザー２５を駆動して、バーコードラベル３０１および値引ラベル３０３の双方が読み取られたことを示す第２のブザー音（例えば“ピッ、ピッ”）を鳴らす。
【００４３】
次に、コード読取装置２が行う商品の販売登録処理について図１３を用いて説明する。図１３は、コード読取装置が行う情報出力処理の手順を示したフローチャートである。
【００４４】
コード読取装置２のＣＰＵ５０は、ＰＯＳ端末３からのコマンドにより業務起動が指令されると、情報出力処理を開始する。取込部５１は、カメラコントローラ４９に撮像オン信号を出力し、カメラ２０による撮像動作を開始する（ステップＳ１３０１）。取込部５１は、カメラ２０が撮像した画像データ７００をＲＡＭ４３の画像ワークエリアに取り込む（ステップＳ１３０２）。そして、第１読取部５５は、上述したバーコード読取処理を開始する（ステップＳ１３０３）。
【００４５】
第１読取部５５は、ステップＳ１３０３のバーコード読取処理においてバーコード３０２の画像７０１を検出したか否かを判断する（ステップＳ１３０４）。バーコード３０２の画像７０１を検出していない場合（ステップＳ１３０４：Ｎｏ）には、第１読取部５５はカメラ２０による撮像を続ける（ステップＳ１３０２）。
【００４６】
バーコード３０２の画像７０１を検出している場合（ステップＳ１３０４：Ｙｅｓ）には、報知部５４は、バーコードオン信号を出力して表示ＬＥＤ２４を点灯させ（ステップＳ１３０５）、バーコード３０２の画像７０１が検出されたことをオペレータに報知する。
【００４７】
次に、第２読取部５２は、ステップＳ１３０２でＲＡＭ４３の画像ワークエリアに取り込んだ画像データ７００に対して、ラベル読取処理を開始する（ステップＳ１３０６）。そして、第２読取部５２は、ステップＳ１３０６のラベル読取処理において値引ラベル３０３（サービス表示ラベル）の画像７０２を検出したか否かを判断する（ステップＳ１３０７）。
【００４８】
値引ラベル３０３の画像７０２を検出している場合（ステップＳ１３０７：Ｙｅｓ）には、出力部５３は、ＲＡＭ４３のバーコードワークエリアに格納されているバーコードデータＣ１とサービスコードワークエリアに格納されているサービスコードＣ２とから、複合コードＣ３（図１２参照）を生成する（ステップＳ１３０８）。そして、出力部５３は、生成した複合コードＣ３を通信インタフェース４４を介してＰＯＳ端末３に伝送出力する（ステップＳ１３０９）。報知部５４は、ブザー２５を駆動して第２のブザー音を鳴らす（ステップＳ１３１０）。さらに、報知部５４は、バーコードオフ信号を出力してバーコードが読み取られていることをオペレータに報知していたＬＥＤ等の表示器を消灯する（ステップＳ１３１１）。
【００４９】
その後、ＰＯＳ端末３からのコマンドにより業務終了が指令されたか否かを判断する（ステップＳ１３１９）。業務終了が指令されていない場合（ステップＳ１３１９：Ｎｏ）には、ステップＳ１３０２に戻って、ステップＳ１３０２〜Ｓ１３１９を全ての商品の販売登録が終了するまで繰り返す。業務終了が指令された場合には（ステップＳ１３１９：Ｙｅｓ）、ＣＰＵ５０は、カメラコントローラ４９に撮像オフ信号を出力し（ステップＳ１３２０）、カメラ２０による撮像動作を終了する。
【００５０】
一方、値引ラベル３０３を検出していない場合には（ステップＳ１３０７：Ｎｏ）、第２読取部５２は、ステップ１３０６のラベル読取処理で値引ラベル３０３の一部分の画像を検出したか否かを判断する（ステップＳ１３１２）。値引ラベル３０３の一部分の画像を検出したと判断した場合（ステップＳ１３１２：Ｙｅｓ）、第２読取部５２は、値引ラベル３０３の一部分の画像を検出してから所定時間を計測するタイマー５６を起動する（ステップＳ１３１３）。さらに、値引ラベル３０３の一部分の画像を検出したと判断された場合（ステップＳ１３１２：Ｙｅｓ）、報知部５４は、バーコードオン信号を周期的に出力して表示ＬＥＤ２４を点滅点灯させることにより、サービス情報の読み取り漏れを報知しても良い。次いで、第２読取部５２は、ステップＳ１３１３で起動したタイマー５６がタイムアウトしているか否かを判断する（ステップＳ１３１４）。
【００５１】
タイマー５６がタイムアウトしていない場合には（ステップＳ１３１４：Ｎｏ）、第２読取部５２は、取込部５１を制御して画像データ７００の取り込みを新たに行う（ステップＳ１３１５）。そして、第２読取部５２は新たに取り込んだ画像データに対してラベル読取処理を実行する（ステップＳ１３０６）。
【００５２】
タイマー５６がタイムアウトしている場合には（ステップＳ１３１４：Ｙｅｓ）および値引ラベル３０３の一部分の画像を検出していない場合（ステップＳ１３１２：Ｎｏ）、出力部５３は、ＲＡＭ４３のバーコードワークエリアに格納されているバーコードデータＣ１を、通信インタフェース４４を介してＰＯＳ端末３に伝送出力する（ステップＳ１３１６）。報知部５４は、ブザー２５を駆動して第１のブザー音を鳴らす（ステップＳ１３１７）。また、報知部５４は、バーコードオフ信号を出力してバーコード６２が読み取られていることをオペレータに報知していたＬＥＤ等の表示器を消灯する（ステップＳ１３１８）。その後、ＣＰＵ５０は、ステップＳ１３１９に移行する。
【００５３】
このように本実施形態にかかるコード読取装置２によれば、サービル表示ラベルの一部分の画像が検出された場合に、サービス表示ラベルの一部分の画像が検出されてから所定時間の間、サービス表示ラベルの画像の検出を継続することにより、サービス表示ラベルが商品の凹凸部に貼付されて当該サービス表示ラベル全体の画像を検出することができない場合であっても、複数回商品３００を撮像することでバーコードデータＣ１とサービスコードＣ２とを取得することができるので、オペレータによる値引処理を必要とせず自動的に値引処理やポイント割増処理等のサービス付与処理を行うことができる。
【００５４】
また、本実施形態にかかるコード読取装置２によれば、第２読取部５２が値引ラベル３０３の一部分の画像を読み取った場合に、サービス情報の読み取り漏れを報知することにより、オペレータは、値引ラベル３０３全体の画像７０２をカメラ２０により撮像することができていないことを把握することができるので、値引ラベル３０３を撮像する角度を変えることができる。
【００５５】
なお、本実施形態のコード読取装置２で実行されるプログラムは、ＲＯＭ４２等に予め組み込まれて提供されるが、本実施形態のコード読取装置２で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【００５６】
さらに、本実施形態のコード読取装置２で実行されるプログラムを、インターネット等のネットワークに接続されたコンピュータ上に格納し、ネットワーク経由でダウンロードさせることにより提供するように構成しても良い。また、本実施形態のコード読取装置２で実行されるプログラムをインターネット等のネットワーク経由で提供または配布するように構成しても良い。
【符号の説明】
【００５７】
２  コード読取装置
２０  カメラ
５１  取込部
５２  第２読取部
５３  出力部
５４  報知部
５５  第１読取部
３０１  バーコードラベル
３０２  バーコード
３０３  値引ラベル
４０１  割引ラベル
５０１  ポイント割増ラベル
【先行技術文献】
【特許文献】
【００５８】
【特許文献１】特開２００８−３３６４０号公報
【図１】
2012014528.tif 000003
【図２】
2012014528.tif 000004
【図３】
2012014528.tif 000005
【図４】
2012014528.tif 000006
【図５】
2012014528.tif 000007
【図６】
2012014528.tif 000008
【図７】
2012014528.tif 000009
【図８】
2012014528.tif 000010
【図９】
2012014528.tif 000011
【図１０】
2012014528.tif 000012
【図１１】
2012014528.tif 000013
【図１２】
2012014528.tif 000014
【図１３】
2012014528.tif 000015